(57)【特許請求の範囲】
【請求項１】
少なくとも楽曲が含まれる放送の放送信号を受信する受信装置において、
前記放送信号を受信する受信手段と、
受信された前記放送信号から前記楽曲に対応するオーディオストリームを取得する取得手段と、
取得された前記オーディオストリームをデコードして、前記楽曲の音声信号を生成するデコード手段と、
取得された前記オーディオストリームをバッファリングするバッファリング手段と、
ユーザからの指令に従い、バッファリングされた前記オーディオストリームを楽曲単位で保存する保存手段と、
受信された前記放送信号に多重化されているデータ信号を抽出し、抽出した前記データ信号に基づく画面表示を行うデータ信号処理手段と、
前記保存手段、および前記デコード手段を制御して、保存された楽曲単位の前記オーディオストリームに対応する楽曲を、前記データ信号処理手段が処理を行っている期間におけるバックグランドミュージックとして出力させるBGM出力手段と
を含む受信装置。
【請求項２】
前記データ信号処理手段は、抽出した前記データ信号に基づいて、電子プログラムガイドの画面表示を行い、
前記BGM出力手段は、前記保存手段、および前記デコード手段を制御して、保存された楽曲単位の前記オーディオストリームに対応する楽曲を、前記電子プログラムガイドの画面表示が行われている期間におけるバックグランドミュージックとして出力させる
請求項１に記載の受信装置。
【請求項３】
オフタイマとして、電源をオフするまでの残り時間を登録する登録手段をさらに含み、
前記BGM出力手段は、前記保存手段、および前記デコード手段を制御して、保存された楽曲単位の前記オーディオストリームに対応する楽曲を、オフタイマが作動するまでの期間にもバックグランドミュージックとして出力させる
請求項１に記載の受信装置。
【請求項４】
少なくとも楽曲が含まれる放送の放送信号を受信する受信装置の受信方法において、
前記放送信号を受信する受信ステップと、
受信された前記放送信号から前記楽曲に対応するオーディオストリームを取得する取得ステップと、
取得された前記オーディオストリームをデコードして、前記楽曲の音声信号を生成するデコードステップと、
取得された前記オーディオストリームをバッファリングするバッファリングステップと、
ユーザからの指令に従い、バッファリングされた前記オーディオストリームを楽曲単位で保存する保存ステップと、
受信された前記放送信号に多重化されているデータ信号を抽出し、抽出した前記データ信号に基づく画面表示を行うデータ信号処理ステップと、
前記保存ステップの処理、および前記デコードステップの処理を制御して、保存された楽曲単位の前記オーディオストリームに対応する楽曲を、前記データ信号処理ステップの処理が行われている期間におけるバックグランドミュージックとして出力させるBGM出力ステップと
を含む受信方法。
【請求項５】
少なくとも楽曲が含まれる放送の放送信号を受信する受信装置の制御用のプログラムであって、
前記放送信号を受信する受信ステップと、
受信された前記放送信号から前記楽曲に対応するオーディオストリームを取得する取得ステップと、
取得された前記オーディオストリームをデコードして、前記楽曲の音声信号を生成するデコードステップと、
取得された前記オーディオストリームをバッファリングするバッファリングステップと、
ユーザからの指令に従い、バッファリングされた前記オーディオストリームを楽曲単位で保存する保存ステップと、
受信された前記放送信号に多重化されているデータ信号を抽出し、抽出した前記データ信号に基づく画面表示を行うデータ信号処理ステップと、
前記保存ステップの処理、および前記デコードステップの処理を制御して、保存された楽曲単位の前記オーディオストリームに対応する楽曲を、前記データ信号処理ステップの処理が行われている期間におけるバックグランドミュージックとして出力させるBGM出力ステップと
を含む処理を受信装置のコンピュータに実行させるプログラムが記録されている記録媒体。
【請求項６】
少なくとも楽曲が含まれる放送の放送信号を受信する受信装置の制御用のプログラムであって、
前記放送信号を受信する受信ステップと、
受信された前記放送信号から前記楽曲に対応するオーディオストリームを取得する取得ステップと、
取得された前記オーディオストリームをデコードして、前記楽曲の音声信号を生成するデコードステップと、
取得された前記オーディオストリームをバッファリングするバッファリングステップと、
ユーザからの指令に従い、バッファリングされた前記オーディオストリームを楽曲単位で保存する保存ステップと、
受信された前記放送信号に多重化されているデータ信号を抽出し、抽出した前記データ信号に基づく画面表示を行うデータ信号処理ステップと、
前記保存ステップの処理、および前記デコードステップの処理を制御して、保存された楽曲単位の前記オーディオストリームに対応する楽曲を、前記データ信号処理ステップの処理が行われている期間におけるバックグランドミュージックとして出力させるBGM出力ステップと
を含む処理を受信装置のコンピュータに実行させるプログラム。
【発明の詳細な説明】
【０００１】
【発明の属する技術分野】
本発明は、受信装置および方法、記録媒体、並びにプログラムに関し、例えば、楽曲を含む放送の放送信号を受信する場合に用いて好適な受信装置および方法、記録媒体、並びにプログラムに関する。
【０００２】
【従来の技術】
ＣＳ(Communications Satellite)やＢＳ(Broadcasting Satellite)のような衛星を介したディジタル衛星放送においては、音声をともなう映像の放送（以下、衛星テレビジョン放送と記述する）だけでなく、音声だけの放送（以下、衛星ラジオ放送と記述する）が存在する
【０００３】
衛星ラジオ放送には、洋楽、邦楽、最新のヒット曲、昔流行した曲等の様々な種類の楽曲をそれぞれ放送する数多くのチャンネルが用意されており、例えば、ＣＳ放送では、４００番台のチャンネルに約１００チェンネルの衛星ラジオ放送が存在する。
【０００４】
衛星ラジオ放送は、衛星テレビジョン放送を受信するIRD(Integrated Receiver and Decoder)を用いて受信することができるが、聴取する衛星ラジオ放送のチャンネルを選択して視聴契約を結び、所定の聴取料を支払う必要がある。
【０００５】
【発明が解決しようとする課題】
ところで、衛星ラジオ放送および衛星テレビジョン放送を受信する従来のIRDに対しては、ユーザの使い勝手の面で次のような３つの課題があった。
【０００６】
第１に、衛星放送の放送信号には、衛星ラジオ放送の信号および衛星テレビジョン放送の信号の他、電子プログラムガイド(EPG；Electronic Program Guide)や番組説明のデータ信号が多重化されて送信されている。ユーザがIRDを操作して番組表を表示させた場合、対応するデータ信号を受信して表示するまでの期間には、音声は出力されず、映像は静止画となってしまう。例えば、１週間先の番組表を表示させる場合、最大３０秒以上の時間を要してしまい、その間、ユーザに退屈な思いをさせてしまう課題があった。
【０００７】
第２に、衛星ラジオ放送で放送された楽曲の先頭から最後までを確実に録音することが困難であった。すなわち、データ信号による電子プログラムガイドを参照することにより、複数の楽曲からなるプログラムの放送開始時刻と放送終了時刻を確認して複数の楽曲を連続して録音することはできるが、電子プログラムガイドでは楽曲単位の放送時刻を正確に確認することができないので、放送された楽曲を楽曲単位で正確に録音することが困難である課題があった。
【０００８】
第３に、通常、IRDと接続されるテレビジョン受像機には、経過時間を用いて設定可能なオフタイマが備えられており、一方のIRDには、プログラム単位で設定できるオフタイマだけが備えられている。したがって、テレビジョン受像機の電源が設定したオフタイマによってオフされた後においても、一方のIRDは、オフタイマとして指定したプログラムの放送終了時刻まで電源がオフされず、オンの状態となっているので、電力を無駄に浪費してしまう課題があった。
【０００９】
本発明はこのような状況に鑑みてなされたものであり、受信した衛星ラジオ放送のオーディオストリームをバッファリングすることにより、放送された楽曲を楽曲単位で記録できるようにするとともに、記録した楽曲を所定に処理におけるバックグランドミュージックとして出力できるようにすることを目的とする。
【００１０】
【課題を解決するための手段】
本発明の受信装置は、放送信号を受信する受信手段と、受信された放送信号から楽曲に対応するオーディオストリームを取得する取得手段と、取得されたオーディオストリームをデコードして、楽曲の音声信号を生成するデコード手段と、取得されたオーディオストリームをバッファリングするバッファリング手段と、ユーザからの指令に従い、バッファリングされたオーディオストリームを楽曲単位で保存する保存手段と、受信された放送信号に多重化されているデータ信号を抽出し、抽出したデータ信号に基づく画面表示を行うデータ信号処理手段と、保存手段、およびデコード手段を制御して、保存された楽曲単位のオーディオストリームに対応する楽曲を、データ信号処理手段が処理を行っている期間におけるバックグランドミュージックとして出力させるBGM出力手段とを含む。
【００１１】
前記データ信号処理手段は、抽出したデータ信号に基づいて、電子プログラムガイドの画面表示を行い、前記BGM出力手段は、保存手段、およびデコード手段を制御して、保存された楽曲単位のオーディオストリームに対応する楽曲を、電子プログラムガイドの画面表示が行われている期間におけるバックグランドミュージックとして出力させるようにすることができる。
【００１２】
本発明の受信装置は、オフタイマとして、電源をオフするまでの残り時間を登録する登録手段をさらに含むことができ、前記BGM出力手段は、保存手段、およびデコード手段を制御して、保存された楽曲単位のオーディオストリームに対応する楽曲を、オフタイマが作動するまでの期間にもバックグランドミュージックとして出力させるようにすることができる。
【００１３】
本発明の受信方法は、放送信号を受信する受信ステップと、受信された放送信号から楽曲に対応するオーディオストリームを取得する取得ステップと、取得されたオーディオストリームをデコードして、楽曲の音声信号を生成するデコードステップと、取得されたオーディオストリームをバッファリングするバッファリングステップと、ユーザからの指令に従い、バッファリングされたオーディオストリームを楽曲単位で保存する保存ステップと、受信された放送信号に多重化されているデータ信号を抽出し、抽出したデータ信号に基づく画面表示を行うデータ信号処理ステップと、保存ステップの処理、およびデコードステップの処理を制御して、保存された楽曲単位のオーディオストリームに対応する楽曲を、データ信号処理ステップの処理が行われている期間におけるバックグランドミュージックとして出力させるBGM出力ステップとを含む。
【００１４】
本発明の記録媒体は、放送信号を受信する受信ステップと、受信された放送信号から楽曲に対応するオーディオストリームを取得する取得ステップと、取得されたオーディオストリームをデコードして、楽曲の音声信号を生成するデコードステップと、取得されたオーディオストリームをバッファリングするバッファリングステップと、ユーザからの指令に従い、バッファリングされたオーディオストリームを楽曲単位で保存する保存ステップと、受信された放送信号に多重化されているデータ信号を抽出し、抽出したデータ信号に基づく画面表示を行うデータ信号処理ステップと、保存ステップの処理、およびデコードステップの処理を制御して、保存された楽曲単位のオーディオストリームに対応する楽曲を、データ信号処理ステップの処理が行われている期間におけるバックグランドミュージックとして出力させるBGM出力ステップとを含む処理を受信装置のコンピュータに実行させるプログラムが記録されている。
【００１５】
本発明のプログラムは、放送信号を受信する受信ステップと、受信された放送信号から楽曲に対応するオーディオストリームを取得する取得ステップと、取得されたオーディオストリームをデコードして、楽曲の音声信号を生成するデコードステップと、取得されたオーディオストリームをバッファリングするバッファリングステップと、ユーザからの指令に従い、バッファリングされたオーディオストリームを楽曲単位で保存する保存ステップと、受信された放送信号に多重化されているデータ信号を抽出し、抽出したデータ信号に基づく画面表示を行うデータ信号処理ステップと、保存ステップの処理、およびデコードステップの処理を制御して、保存された楽曲単位のオーディオストリームに対応する楽曲を、データ信号処理ステップの処理が行われている期間におけるバックグランドミュージックとして出力させるBGM出力ステップとを含む処理を受信装置のコンピュータに実行させる。
【００１６】
本発明においては、受信された放送信号から楽曲に対応するオーディオストリームが取得され、取得されたオーディオストリームがデコードされて楽曲の音声信号が生成される。また、取得されたオーディオストリームがバッファリングされ、ユーザからの指令に従い、バッファリングされたオーディオストリームが楽曲単位で保存される。さらに、受信された放送信号に多重化されているデータ信号が抽出され、抽出されたデータ信号に基づく画面表示が行われる。そして、この画面表示の期間のバックグランドミュージックとして、保存された楽曲単位のオーディオストリームに対応する楽曲が出力される。
【００１７】
【発明の実施の形態】
本発明を適用したIRDの構成例について、図１を参照して説明する。このIRDは、衛星テレビジョン放送の放送信号、衛星ラジオ放送の放送信号、およびEPGや番組説明等のデータ信号が多重化された放送信号を受信し、得られるビデオ出力やオーディオ出力を後段のテレビジョン受像機等（不図示）に供給するものである。
【００１８】
このIRDにおいて、フロントエンド１は、アンテナ（不図示）から供給される放送信号から、ユーザの選局に対応する周波数成分を抽出して復調処理、誤り訂正処理、デスクランブル処理等を施し、多重化データをデマルチプレクサ２に出力する。
【００１９】
デマルチプレクサ２は、フロントエンド１から供給される多重化データから、衛星テレビジョン放送のＡＶ（Audio Visual）ストリーム、および衛星ラジオ放送のオーディオストリームを分離して、MPEG(Moving Picture Experts Group)デコーダ３に出力する。また、デマルチプレクサ２は、分離した衛星ラジオ放送のオーディオストリームを、バス１５を介してバッファ７に供給する。さらに、デマルチプレクサ２は、多重化データからデータ信号を分離し、バス１５を介して制御部９に出力する。
【００２０】
MPEGデコーダ３は、デマルチプレクサ２から入力されるＡＶストリームおよびオーディオストリームをデコードし、得られるビデオ信号を重畳部５に出力し、得られるオーディオ信号を後段のテレビジョン受像機等に出力する。
【００２１】
重畳部５は、MPEGデコーダ３から入力されるビデオ信号に、OSD生成部４から入力される楽曲設定用ウィンドウ２１（図３）などのビデオ信号であるOSD(On Screen Display)データを重畳し、所定の形式（例えば、NTSC形式）のビデオ信号に変換して、後段のテレビジョン受像機等に出力する。重畳部５はまた、バス１５を介して制御部９から入力されるEPG画面等のビデオ信号を所定の形式のビデオ信号に変換して、後段に出力する。
【００２２】
操作入力部６は、例えば、リモートコントローラ等より成り、ユーザからの各種のコマンドやオフタイマの時間設定を受け付けて制御部９に通知する。当該リモートコントローラには、音量を増減させるときに操作する音量ボタン、受信するチャンネルを切り替えさせるときに押下するチャンネルボタン、現在出力されている楽曲を登録させるとき（保存させるとき）に押下する登録ボタン、および、画面上のカーソルを移動させるときに押下する移動ボタン等が設けられている。
【００２３】
SDRAM(Synchronous Dynamic RAM)等より成るバッファ７は、バス１５を介してデマルチプレクサ２から入力される衛星ラジオ放送のオーディオストリームを、少なくともオーディオ出力として現在出力している楽曲のオーディオストリームを、順次上書きしてバッファリングし、ユーザの登録コマンドに対応する制御部９からの制御に従って、バッファリングしたオーディオストリームを楽曲単位で保存部８に供給する。
【００２４】
フラッシュROM等より成る保存部８には、バッファ７から供給された楽曲単位のオーディオストリームが記録される。また、保存部８は、記録されている楽曲単位のオーディオストリームを、バス１５を介してMPEGデコーダ３にDMA(Direct Memory Access)転送する。
【００２５】
制御部９は、ドライブ１０を制御して、磁気ディスク１１（フロッピディスクを含む）、光ディスク１２（CD-ROM(Compact Disc-Read Only Memory)、DVD(Digital Versatile Disc)を含む）、光磁気ディスク１３（ＭＤ(Mini Disc)を含む）、または半導体メモリ１４に記憶されている制御用プログラムを読み出し、読み出した制御用プログラムやユーザからのコマンド等に基づいてIRDの全体を制御する。
【００２６】
制御部９は、バス１５を介してデマルチプレクサ２から入力されるデータ信号を用い、EPGや番組説明の画面のビデオ信号を生成し、バス１５を介して重畳部５に出力する。
【００２７】
制御部９はまた、内蔵するタイマに基づき、例えば、３０分後、６０分後、９０分後等のように指定された時間が経過したときに電源をオフするオフタイマ機能を有している。
【００２８】
次に、当該IRDによる衛星ラジオ放送を受信処理について、図２のフローチャートを参照して説明する。この受信処理は、操作入力部６に対するユーザからの受信開始のコマンドに対応して開始される。
【００２９】
ステップＳ１において、制御部９は、操作入力部６に対してユーザから受信終了のコマンドが入力されたか否かを判定する。ユーザから受信終了のコマンドが入力されていないと判定された場合、処理はステップＳ２に進む。
【００３０】
ステップＳ２において、制御部９は、フロントエンド１乃至MPEGＡＶデコーダ３を制御して、ユーザが選局したチャンネルの衛星ラジオ放送を受信させて、その音声をオーディオ出力として後段のテレビジョン受像機等に出力させる。
【００３１】
具体的には、フロントエンド１は、アンテナから供給された放送信号から、ユーザの選局に対応する周波数成分を抽出して復調処理、誤り訂正処理、デスクランブル処理等を施し、多重化データをデマルチプレクサ２に出力する。デマルチプレクサ２は、フロントエンド１から入力された多重化データから衛星ラジオ放送のオーディオストリームを分離してMPEGデコーダ３に出力する。MPEGデコーダ３は、デマルチプレクサ２から入力されたオーディオストリームをデコードし、得られたオーディオ信号を後段のテレビジョン受像機等に出力する。デマルチプレクサ２はまた、分離した衛星ラジオ放送のオーディオストリームを、バス１５を介してバッファ７に供給する。
【００３２】
ステップＳ３において、バッファ７は、制御部９からの制御に従って、デマルチプレクサ２から供給されたオーディオストリームのバッファリングを開始する。なお、バッファ７は、MPEGＡＶデコーダ３から、現在出力されている楽曲（以下、現曲と記述する）のオーディオストリームをバッファリングし、次の楽曲（以下、次曲と記述する）がMPEGＡＶデコーダ３から出力され始めた場合、先程バッファリングした現曲のオーディオストリームに次曲のオーディオストリームを上書きしてバッファリングする。なお、現曲と次曲の境は、オーディオ信号の無音期間に基づいて判定される。
【００３３】
ステップＳ４において、制御部９は、操作入力部１１に対してユーザから登録のコマンドが入力されたか否かを判定する。ユーザから登録のコマンドが入力されたと判定された場合、処理はステップＳ５に進む。ステップＳ５において、制御部９は、バッファ７にバッファリング中の現在出力されている楽曲のオーディオストリームを保存部８に記録する。
【００３４】
ステップＳ４において、ユーザから登録のコマンドが入力されないと判定された場合、ステップＳ５はスキップされてステップＳ１に戻り、ユーザから受信終了のコマンドが入力されたと判定されるまで、それ以降の処理が繰り返される。
【００３５】
以上説明したように、当該IRDによる衛星ラジオ放送の受信処理では、ユーザが登録のコマンドを入力した場合、そのとき出力されている楽曲のオーディオストリームが保存部８に保存される。
【００３６】
次に、保存部８に楽曲単位で保存されたオーディオストリームの利用方法について説明する。当該IRDは、EPGのデータ信号を受信して表示するまでの期間、番組説明のデータ信号を受信して表示するまでの期間、オフタイマが設定されてから設定された時間が経過するまでの期間、およびメニュー画面を表示している期間において、保存部８に楽曲単位で保存されたオーディオストリームの楽曲を選択し、BGM(Back Ground Music)として出力することができる。
【００３７】
図３は、EPGのデータ信号を受信して表示するまでの期間等において出力する楽曲を選択するための楽曲設定ウィンドウの表示例を示している。この楽曲設定ウィンドウ２１には、保存部８に楽曲単位で保存されたオーディオストリームの楽曲名が表示される。図３の例では、楽曲Ａとして「I want it way」、楽曲Ｂとして「No scrub」、楽曲Ｃとして「Heartbreaker」、楽曲Ｄとして「Oops,...I did it again」が表示されている。なお、楽曲の曲名は、EPGのデータ信号から取得することができるが、ユーザが入力するようにしてもよい。
【００３８】
楽曲選択欄２２乃至２５は、それぞれ、EPGのデータ信号を受信して表示するまでの期間、番組説明のデータ信号を受信して表示するまでの期間、オフタイマが設定されてから設定された時間が経過するまでの期間、またはメニュー画面を表示している期間において出力する楽曲を選択するための欄であり、例えば、入力操作部６を成すリモートコントローラの移動ボタンを操作して設定を実行する。「閉じる」ボタン２６は、楽曲選択欄２２乃至２５に対する設定を終了した後、楽曲設定ウィンドウ２１を閉じるときに押下する。
【００３９】
図４は、EPGのデータ信号を受信して表示するまでの期間等において出力する楽曲を選択するための楽曲設定ウィンドウの他の表示例を示している。この楽曲設定ウィンドウ３１には、図３の楽曲設定ウィンドウ２１と同様、保存部８に楽曲単位で保存されたオーディオストリームの楽曲名が表示される。
【００４０】
再生モード選択欄３２乃至３５は、それぞれ、EPGのデータ信号を受信して表示するまでの期間、番組説明のデータ信号を受信して表示するまでの期間、オフタイマが設定されてから設定された時間が経過するまでの期間、またはメニュー画面を表示している期間において出力する楽曲の再生モードを選択するための欄であり、例えば、入力操作部６を成すリモートコントローラの移動ボタンを操作して設定を実行する。
【００４１】
再生モードとしては、楽曲Ａ乃至楽曲Ｄを連続して出力する連続モードと、楽曲Ａ乃至楽曲Ｄをランダムに出力するランダムモードが用意されており、２つのモードのうち、一方を選択することができる。オフタイマが設定されてから設定された時間が経過するまでの期間において出力する楽曲の再生モードを選択するための再生モード選択欄３４には、連続モード、ランダムモードの他、当該期間において楽曲を出力しない電源オフモード（例えば、衛星テレビジョン放送を視聴しながら就寝するときに用いる）も用意されている。
【００４２】
「閉じる」ボタン３６は、楽曲選択欄３２乃至３５に対する設定を終了した後、楽曲設定ウィンドウ３１を閉じるときに押下する。
【００４３】
EPGのデータ信号を受信して表示するまでの期間等においては、制御部９の制御により、楽曲設定ウィンドウ２１または楽曲設定ウィンドウ３１に対する設定に対応して、保存部８に保存されているオーディオストリームが、バス１５を介してMPEGデーダ３にDMA転送されてデコードされ、BGMとして出力される。
【００４４】
以上のように、本発明を適用したIRDによれば、衛星ラジオ放送で放送された楽曲を単に聴取するだけでなく、任意の楽曲を楽曲単位で正確に保存することができる。さらに、通常、音声の出力が停止されて、表示が静止画像となってしまうEPGデータ取得時等において保存した楽曲をBGMとして出力することができる。
したがって、当該IRDを用いれば、衛星ラジオ放送の魅力、すなわち、利用価値を増加させることができ、衛星ラジオ放送の契約者数を増加させることが可能となる。
【００４５】
なお、保存部８のオーディオストリームは、随時、バス１５を介してMPEGデコーダ３にDMA転送し、デコードすることにより、IRDからのオーディオ出力として、ＭＤ（商標）レコーダ等を用いて録音することができる。
【００４６】
また、EPGのデータ信号を受信して表示するまでの期間等において楽曲を出力しているときの静止画像を任意に選択できるようにしてもよい。
【００４７】
本発明を適用したIRDによれば、テレビジョン受像機と同様、経過時間を用いてオフタイマを設定することができるので、テレビジョン受像機の電源がオフタイマによってオフされた後、IRDの電源がオフされずに、電力を無駄に浪費してしまうようなことを抑止することができる。
【００４８】
なお、本発明は、衛星放送を受信するIRDに限定されるものではなく、地上ディジタル放送や有線放送等あらゆる種類の放送信号を受信する受信装置と、受信装置を内蔵するビデオレコーダやテレビジョン受像機等に適用することが可能である。
【００４９】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【００５０】
この記録媒体は、図１に示すように、コンピュータとは別に、ユーザにプログラムを提供するために配布される、プログラムが記録されている磁気ディスク１１乃至半導体メモリ１４などよりなるパッケージメディアにより構成されるだけでなく、コンピュータに予め組み込まれた状態でユーザに提供される、プログラムが記録されているROMやハードディスクなどで構成される。
【００５１】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００５２】
【発明の効果】
以上のように、本発明によれば、受信した楽曲を抽出されたデータ信号に基づく画面表示の処理におけるバックグランドミュージックとして出力することが可能となる。
【図面の簡単な説明】
【図１】本発明を適用したIRDの構成例を示すブロック図である。
【図２】本発明を適用したIRDによる衛星ラジオ放送を受信する処理を説明するフローチャートである。
【図３】楽曲設定ウィンドウ２１の表示例を示す図である。
【図４】楽曲設定ウィンドウ３１の表示例を示す図である。
【符号の説明】
１  フロントエンド，  ２  デマルチプレクサ，  ３  MPEGＡＶデコーダ，  ４  OSD生成部，  ５  重畳部，  ６  操作入力部，  ７  バッファ，  ８  保存部，  ９  制御部，  １０  ドライブ，  １１  磁気ディスク，  １２  光ディスク，  １３  光磁気ディスク，  １４  半導体メモリ，  １５  バス，  ２１  楽曲設定ウィンドウ，  ３１  楽曲設定ウィンドウ
【図１】
0004547590.tif 000002
【図２】
0004547590.tif 000003
【図３】
0004547590.tif 000004
【図４】
0004547590.tif 000005